(57)【要約】【課題】  電子機器に備えられる二次電池の発熱、発火事故を防止するとともに、耐用時間を延ばすことができる筐体を提供すること。【解決手段】  筐体は１以上の収納部を備え、収納部は電子機器を収納し、電子機器はセンサーと、通信部と、二次電池と、第１の充放電制御部とを備え、センサーは筐体の外部の物理量を検出して電気信号を出力し、通信部はセンサーが出力した電気信号を筐体の外部に送信し、二次電池はセンサーと通信部と第１の充放電制御部とを駆動し、第１の充放電制御部は二次電池の充放電制御を行い、収納部は第１の温度管理部を備え、第１の温度管理部は電子機器の温度を制御する。【選択図】      図２
2020009353.tif 000002
【特許請求の範囲】
【請求項１】
１以上の収納部を備える筐体において、
前記収納部は電子機器を収納し、
前記電子機器はセンサーと、通信部と、二次電池と、第１の充放電制御部とを備え、
前記センサーは前記筐体の外部の物理量を検出して電気信号を出力し、
前記通信部は前記センサーが出力した電気信号を前記筐体の外部に送信し、
前記二次電池は前記センサーと前記通信部と前記第１の充放電制御部とを駆動し、
前記第１の充放電制御部は前記二次電池の充放電制御を行い、
前記収納部は第１の温度管理部を備え、
前記第１の温度管理部は前記電子機器の温度を制御することを特徴とする筐体。
【請求項２】
請求項１に記載の筐体において、
前記筐体に電気が供給され、
前記収納部は電力供給部を備え、
前記電力供給部は前記筐体に供給される電気を前記二次電池に供給し、
前記電力供給部は第２の充放電制御部を備え、
前記第２の充放電制御部は前記二次電池の充放電制御を行うことを特徴とする筐体。
【請求項３】
請求項１又は２に記載の筐体において、
前記筐体は２以上の前記収納部と、ルーターとを備え、
前記収納部は接続部を備え、
前記接続部と前記通信部は有線で接続され、
前記接続部と前記ルーターは有線で接続され、
前記ルーターと電気通信回線は有線又は無線で接続され、
前記電気信号は、前記通信部から前記接続部と前記ルーターを介して前記電気通信回線に送信されることを特徴とする筐体。
【請求項４】
請求項１又は２に記載の筐体において、
前記筐体は２以上の前記収納部を備え、
前記通信部と電気通信回線は無線で接続され、
前記電気信号は、前記通信部から前記電気通信回線に送信されることを特徴とする筐体。
【請求項５】
請求項３又は４に記載の筐体を用いることを特徴とする自動販売機。
【請求項６】
請求項５に記載の自動販売機において、
前記自動販売機は商品と、第２の温度管理部とを備え、
前記自動販売機は前記商品を販売し、
前記第２の温度管理部は前記商品の温度を制御し、
前記第１の温度管理部は、前記電子機器の温度制御に前記第２の温度管理部を流用することを特徴とする自動販売機。
【請求項７】
１以上の請求項５又は６に記載の自動販売機と、電子計算機とを備えるデータ分析システムにおいて、
前記電子計算機と前記電気通信回線は有線又は無線で接続され、
前記電気信号は前記電気通信回線を介して前記電子計算機に収集されることを特徴とするデータ分析システム。
【発明の詳細な説明】
【技術分野】
【０００１】
本発明は、筐体、自動販売機及びそれを備えるデータ分析システムに関する。
【背景技術】
【０００２】
例えば、携帯電話、監視カメラ、携帯用放射線検出器といった電子機器は、センサーと、通信部と、二次電池と、充放電制御部とを備える。二次電池の性能劣化の原因は、充電回数の他、過充電、過放電がある。特に、二次電池が過充電されると発熱、発火のおそれもある。そこで、充放電制御部は、二次電池が過充電、過放電にならないように二次電池の充放電制御を行う。こうして、二次電池の発熱、発火事故を防止するとともに、二次電池の性能劣化を防止し、耐用時間を延ばすことができる。なお、ここでは、センサーとは、温度・湿度・気圧・圧力・流量・光・磁気・電磁波・放射線・ガス・浮遊粒子状物質・音波・加速度等の物理量を検知し、電気信号に変換して出力する素子であり、イメージセンサーも含む。また、二次電池とは、充電によって繰り返し使用できる電池であり、充電池、蓄電池、バッテリーともいう。更に、電気通信回線とは、有線又は無線により双方向に通信可能な電気通信手段であり、例えば、インターネットを含む。
【発明の概要】
【発明が解決しようとする課題】
【０００３】
二次電池は、温度によっても性能や耐用時間が変動する。携帯電話、監視カメラ、携帯用放射線検出器といった電子機器は、収納場所において温度が管理されていないため、過熱や過冷却による二次電池の性能劣化や耐用時間短縮という問題があった。また、場合によっては、発熱、発火事故につながる問題もあった。
【０００４】
本発明の幾つかの態様は、電子機器に備えられる二次電池の発熱、発火事故を防止するとともに、耐用時間を延ばすことができる筐体、自動販売機及びそれを備えるデータ分析システムを提供することを目的とする。
【課題を解決するための手段】
【０００５】
（１）本発明の第１の態様は、１以上の収納部を備える筐体において、収納部は電子機器を収納し、電子機器はセンサーと、通信部と、二次電池と、第１の充放電制御部とを備え、センサーは筐体の外部の物理量を検出して電気信号を出力し、通信部はセンサーが出力した電気信号を筐体の外部に送信し、二次電池はセンサーと通信部と第１の充放電制御部とを駆動し、第１の充放電制御部は二次電池の充放電制御を行い、収納部は第１の温度管理部を備え、第１の温度管理部は電子機器の温度を制御することを特徴とする筐体に関する。
【０００６】
第１の充放電制御部は、二次電池が過充電、過放電にならないように二次電池の充放電制御を行うため、二次電池の発熱、発火事故を防止するとともに、耐用時間を延ばすことができる。また、収納部に備えられる第１の温度管理部は、電子機器の温度を制御するため、電子機器に備えられる二次電池の温度を適切に維持することができ、二次電池の耐用時間を更に延ばすことができる。このため、電子機器に備えられるセンサーと通信部をより長時間駆動し、センサーが出力した電気信号を筐体の外部により長時間送信することができる。
【０００７】
（２）本発明の第１の態様では、筐体は電気が供給され、収納部は電力供給部を備え、電力供給部は筐体に供給される電気を二次電池に供給し、電力供給部は第２の充放電制御部を備え、第２の充放電制御部は、二次電池が過充電、過放電にならないように二次電池の充放電制御を行うことが好ましい。電力供給部は筐体に供給される電気で二次電池を充電することができるため、センサーと通信部と第１の充放電制御部を安定かつ連続的に駆動することができるからである。また、第２の充放電制御部は、二次電池が過充電、過放電にならないように二次電池の充放電制御を行うことができるため、二次電池の性能劣化を防止し、耐用時間を更に延ばすことができるからである。更に、第１の充放電制御部が不具合の場合も、第２の充放電制御部の充放電制御によって二次電池の発熱、発火事故を防止することができるからである。
【０００８】
（３）本発明の第１の態様では、筐体は２以上の収納部と、ルーターとを備え、収納部は接続部を備え、接続部と通信部は有線で接続され、接続部とルーターは有線で接続され、ルーターと電気通信回線は有線又は無線で接続され、電気信号は、通信部から接続部とルーターを介して電気通信回線に送信されることが好ましい。センサーが出力した電気信号は、ルーターを介して筐体の外部に一括で送信されるため、通信部はルーターとの通信だけを行えばよく、通信部を簡単にすることができるからである。
【０００９】
（４）本発明の第１の態様では、筐体は２以上の収納部を備え、通信部と電気通信回線は無線で接続され、電気信号は、通信部から電気通信回線に送信されることを特徴とする筐体が好ましい。センサーが出力した電気信号は、通信部から電気通信回線に直接送信されるため、筐体の内部の通信用配線を変更することなく、電子機器（センサー）を容易に交換することができるからである。
【００１０】
（５）本発明の第２の態様は、本発明の第１の態様の筐体を用いることを特徴とする自動販売機に関する。自動販売機は一般に電気が供給され、防犯措置も備える。加えて、自動販売機は全国津々浦々に数百万台設置されている。したがって、筐体を自動販売機に用いることにより、このような無人かつ安全な電子機器の収納部を全国津々浦々に提供することができる。また、このような収納部を、電子機器の収納にレンタルすることにより、自動販売機が販売する商品以外からも収入を得ることができる。
【００１１】
（６）本発明の第２の態様では、自動販売機は商品と、第２の温度管理部とを備え、自動販売機は商品を販売し、第２の温度管理部は商品の温度を制御し、第１の温度管理部は、電子機器の温度制御に第２の温度管理部を流用することが好ましい。商品の温度を制御する第２の温度管理部を電子機器の温度制御に流用することにより、自動販売機の構造を簡単にすることができるからである。
【００１２】
（７）本発明の第３の態様は、１以上の本発明の第２の態様の自動販売機と、電子計算機とを備えるデータ分析システムにおいて、電子計算機と電気通信回線は有線又は無線で接続され、電気通信回線に送信されたセンサーの電気信号は、電気通信回線を介して電子計算機に収集されることを特徴とするデータ分析システムに関する。
【００１３】
自動販売機の設置場所における、全国津々浦々のセンサーの電気信号は、電気通信回線を介して電子計算機に収集され、収集データを電子計算機によって分析することができる。
【図面の簡単な説明】
【００１４】
【図１】本実施形態の筐体の概要を示す。
【図２】本実施形態の収納部の概要を示す。
【図３】本実施形態の筐体の概要を示す。
【図４】本実施形態の筐体の概要を示す。
【図５】本実施形態のデータ分析システムの概要を示す。
【発明を実施するための形態】
【００１５】
以下、本発明の好適な実施形態について詳細に説明する。なお、以下に説明する本実施形態は、特許請求の範囲に記載された本発明の内容を不当に限定するものではなく、本実施形態で説明される構成のすべてが本発明の解決手段として必須であるとは限らない。
【００１６】
本実施形態の筐体１０の概要を図１に示す。筐体１０は、１以上の収納部１１を備える。筐体１０は、例えば、自動販売機に用いることができる。筐体１０における収納部１１の設置場所は、筐体１０の用途に悪影響を与えない限り、特に制限はない。筐体１０が自動販売機に用いられる場合、自動販売機には、販売する商品、商品の温度を管理するための温度管理部、決済手段、自動販売機を稼働させるための電気設備といったもの（自動販売機の本来設備）が搭載される。温度管理部は、例えば、コンプレッサーが用いられ、決済手段は、例えば、現金、電子マネー、クレジットカードが用いられる。収納部１１の設置場所は、これら自動販売機の本来設備に悪影響を与えない限り、特に制限はなく、例えば、自動販売機の本来設備よりも上側（自動販売機の最上部）や温度管理部の空きスペースが挙げられる。
【００１７】
本実施形態の収納部１１の概要を図２に示す。収納部１１は電子機器１２を収納する。収納部１１に収納される電子機器１２は１以上であり、２以上でもよい。電子機器１２はセンサー１３と、通信部１４と、二次電池１５と、第１の充放電制御部１６とを備える。センサー１３は筐体１０の外部の物理量１８を検出して電気信号（図示せず）を出力する。センサー１３が検出する筐体１０の外部の物理量１８には、例えば、温度、湿度、気圧、風速、光、磁気、電磁波、放射線、ガス、浮遊粒子状物質、音波、加速度が挙げられる。通信部１４はセンサー１３が出力した電気信号を筐体１０の外部に送信する。二次電池１５はセンサー１３と通信部１４と第１の充放電制御部１６とを駆動する。第１の充放電制御部１６は二次電池１５が過充電、過放電にならないように二次電池１５の充放電制御を行う。このため、二次電池１５の発熱、発火事故を防止するとともに、耐用時間を延ばすことができる。収納部１１は第１の温度管理部１７を備える。第１の温度管理部１７は電子機器１２の温度を制御する。電子機器１２に備えられる二次電池１５の温度を適切に維持することができるため、二次電池１５の耐用時間を更に延ばすことができる。このため、電子機器１２に備えられるセンサー１３と通信部１４をより長時間駆動し、センサー１３が出力した電気信号を筐体１０の外部により長時間送信することができる。電子機器１２は、特に制限はないが、例えば、携帯電話、監視カメラ、携帯用放射線検出器が挙げられる。第１の温度管理部１７の温度制御方法は、特に制限はないが、例えば、空冷、水冷、ペルチェ素子、ヒートパイプ、コンプレッサー等が挙げられる。
【００１８】
筐体１０は電気が供給され、収納部１１は電力供給部１９を備え、電力供給部１９は筐体１０に供給される電気を二次電池１５に供給する。電力供給部１９は筐体１０に供給される電気で二次電池１５を充電することができるため、センサー１３と通信部１４と第１の充放電制御部１６を安定かつ連続的に駆動することができる。電力供給部１９は第２の充放電制御部２０を備える。第２の充放電制御部２０は二次電池１５が過充電、過放電にならないように二次電池１５の充放電制御を行う。このため、二次電池１５の性能劣化を防止し、二次電池１５の耐用時間を更に延ばすことができる。更に、第１の充放電制御部１６が不具合の場合も、第２の充放電制御部２０の充放電制御によって二次電池１５の発熱、発火事故を防止することができる。
【００１９】
筐体１０は開口部２１を備える。開口部２１は物理量１８が通過する開口であり、センサー１３は開口部２１を通過する物理量１８を検出する。筐体１０に備えられる開口部２１を物理量１８が通過するため、物理量１８は減衰せず、センサー１３の検出感度を良好に維持することができる。開口部２１は物理量１８が通過できればよく、視覚的な開口である必要はない。
【００２０】
開口部２１はマジックミラー（図示せず）を備え、マジックミラーは開口部２１を覆う。センサー１３がイメージセンサーであり、物理量１８が光の場合、開口部２１がマジックミラーで覆われているため、筐体１０（収納部１１）の内部にあるイメージセンサーを目隠しすることができる。このため、筐体１０の外観を含むデザイン性を向上するとともに、いたずらを防止することができる。
【００２１】
本実施形態の筐体１０の概要を図３に示す。筐体１０は２以上の収納部１１と、ルーター２２とを備え、収納部１１は接続部２３を備える。接続部２３と通信部１４は有線で接続され、接続部２３とルーター２２は有線で接続され、ルーター２２と電気通信回線２４は有線又は無線で接続され、センサー１３が出力した電気信号は、ルーター２２を介して電気通信回線２４に送信される。２以上の収納部１１に収納されるセンサー１３が出力した電気信号は、ルーター２２を介して筐体１０の外部に一括で送信されるため、通信部１４はルーター２２との通信だけを行えばよく、通信部１４を簡単にすることができる。
【００２２】
本実施形態の筐体１０の概要を図４に示す。筐体１０は２以上の収納部１１を備える。通信部１４と電気通信回線２４は無線で接続され、センサー１３が出力した電気信号は、通信部１４から電気通信回線２４に送信される。センサー１３が出力した電気信号は、通信部１４から電気通信回線２４に直接送信されるため、筐体１０の内部の通信用配線を変更することなく、電子機器１２（センサー１３）を容易に交換することができる。
【００２３】
本実施形態の通信部１４又は接続部２３は信号処理部（図示せず）を備える。信号処理部はセンサー１３から出力された電気信号に信号処理を行う。この信号処理によって通信データ量を削減することができるため、通信時間を短縮することができる。
【００２４】
本実施形態の筐体１０は、上記のように、例えば、自動販売機に用いることができる。自動販売機は一般に電気が供給され、防犯措置も備える。加えて、自動販売機は全国津々浦々に数百万台設置されている。したがって、上記筐体１０を自動販売機に用いることにより、このような無人かつ安全な収納部１１を全国津々浦々に提供することができる。このような収納部１１を、上記電子機器１２の収納にレンタルすることにより、自動販売機が販売する商品以外からも収入を得ることができる。
【００２５】
本実施形態の自動販売機は、特に図示しないが、一般に、販売する商品と、商品の温度を制御する第２の温度管理部とを備える。第１の温度管理部１７は、電子機器１２の温度制御に第２の温度管理部を流用することができる。これにより、自動販売機の構造を簡単にすることができる。第１の温度管理部１７が第２の温度管理部を流用する方法は、第２の温度管理部の温度制御方法にもよるが、例えば、第２の温度管理部がコンプレッサーを用いる場合、冷媒の分流が挙げられる。
【００２６】
本実施形態のデータ分析システム２５の概要を図５に示す。データ分析システム２５は、１以上の自動販売機２６と、電子計算機２７とを備える。電子計算機２７と電気通信回線２４は有線又は無線で接続され、電気通信回線２４に送信されたセンサー１３の電気信号は、電気通信回線２４を介して電子計算機２７に収集される。自動販売機２６の設置場所における、全国津々浦々のセンサー１３の電気信号は、電気通信回線２４を介して電子計算機２７に収集され、収集データを電子計算機２７によって分析することができる。
【００２７】
なお、上記のように本実施形態について詳細に説明したが、本発明の新規事項及び効果から実体的に逸脱しない多くの変形が可能であることは当業者には容易に理解できるであろう。したがって、このような変形例はすべて本発明の範囲に含まれる。例えば、明細書において、少なくとも一度、より広義又は同義の異なる用語とともに記載された用語は、明細書のいかなる箇所においても、その異なる用語に置き換えることができる。
【符号の説明】
【００２８】
１０  筐体、１１  収納部、１２  電子機器、１３  センサー（イメージセンサー）、１４  通信部、１５  二次電池、１６  第１の充放電制御部、１７  第１の温度管理部、１８  物理量、１９  電力供給部、２０  第２の充放電制御部、２１  開口部、２２  ルーター、２３  接続部、２４  電気通信回線、２５  データ分析システム、２６  自動販売機、２７  電子計算機
【図１】
2020009353.tif 000003
【図２】
2020009353.tif 000004
【図３】
2020009353.tif 000005
【図４】
2020009353.tif 000006
【図５】
2020009353.tif 000007